(57)【要約】【課題】  原料でプリフォームを作成することなく、原料を高精度に成形して光学部品を製造することができる光学部品の成形方法を提供することを課題とする。【解決手段】  光学部品の成形方法であって、金型のキャビティ内に投入した粉体の原料４０を加熱して溶融する加熱段階と、溶融させた原料４０をキャビティ内で圧縮して変形させることにより、所定形状の光学部品を製造する圧縮段階とを含むことを特徴としている。【選択図】      図５
2006347125.tif 000002
【特許請求の範囲】
【請求項１】
金型のキャビティ内に投入した粉体の原料を加熱して溶融する加熱段階と、
溶融させた前記原料を前記キャビティ内で圧縮して変形させることにより、所定形状の光学部品を製造する圧縮段階と、を含むことを特徴とする光学部品の成形方法。
【請求項２】
前記原料は、４ｍｍの目開きの篩を通過する粉体であることを特徴とする請求項１に記載の光学部品の成形方法。
【請求項３】
前記原料は、熱可塑性プラスチック材料であることを特徴とする請求項１または請求項２に記載の光学部品の成形方法。
【請求項４】
前記原料は、ガラス材料であることを特徴とする請求項１または請求項２に記載の光学部品の成形方法。
【請求項５】
前記圧縮段階において、前記キャビティ内を減圧した状態で前記原料を圧縮することを特徴とする請求項１から請求項４のいずれか一項に記載の光学部品の成形方法。
【請求項６】
粉体の原料が投入されるキャビティを有しており、前記キャビティ内に投入された前記原料を加熱して溶融するとともに、溶融させた前記原料を前記キャビティ内で圧縮して変形させることにより、所定形状の光学部品を製造するように構成された金型を備えている光学部品の成形装置であって、
粉体の前記原料を計量するための計量装置と、
前記計量装置を用いて所定量に計量された前記原料を前記キャビティ内に投入する供給装置と、
前記キャビティ内の前記原料を加熱する加熱装置と、
前記キャビティ内から前記光学部品を取り出す取り出し装置と、を備えていることを特徴とする光学部品の成形装置。
【発明の詳細な説明】
【技術分野】
【０００１】
本発明は、圧縮成形によって光学部品を製造するための光学部品の成形方法および光学部品の成形装置に関する。
【背景技術】
【０００２】
プラスチックレンズのように、厚みや光学面の形状を高精度に成形することが求められる光学部品を製造する成形方法としては、原料を金型に投入する前に予備成形することにより、光学部品の完成形状に近似させたプリフォームを作成し、このプリフォームを金型のキャビティ内で圧縮成形して、所定形状の光学部品を製造する成形方法がある（例えば、特許文献１参照）。
【０００３】
この成形方法では、光学部品の完成形状に近似させたプリフォームを用いることにより、光学部品の成形に必要な量の原料を正確にキャビティ内に投入することができるため、光学部品の厚みを高精度に成形することができる。また、圧縮時にプリフォームの変形量が少なくなり、原料がキャビティの内面に沿ってスムーズに変形するため、光学面を高精度に成形することができるとともに、光学部品の内部に歪みが生じて、光を通過させたときに複屈折が生じてしまうことを防ぐことができる。
【特許文献１】特開２００５−９７０９９号公報（段落０００５）
【発明の開示】
【発明が解決しようとする課題】
【０００４】
しかしながら、前記した従来の成形方法では、プリフォームを高精度に成形する必要があるため、光学部品の製造工程が煩雑になってしまうとともに、光学部品の製造コストが高くなってしまうという問題がある。
【０００５】
なお、原料を金型内で圧縮成形して製品を製造する成形方法としては、特開平７−１１２４４７号公報に示されているように、熱硬化性プラスチック材料の原料を粉体の状態で金型のキャビティ内に投入し、投入された粉体の原料を加熱溶融して圧縮成形した後に、原料を再度加熱して硬化させることにより製品を製造する成形方法もあるが、この成形方法は、高精度な成形が求められる製品を対象としておらず、光学部品のように高精度な成形が求められる製品には用いられていなかった。特に、光学部品では、成形後の内部に気泡が残存してはならないため、気泡が残存すると思われる上記の成形方法を用いることは全く考えられていなかった。
【０００６】
そこで、本発明では、前記した問題を解決し、原料でプリフォームを製造することなく、原料を高精度に成形して光学部品を製造することができる光学部品の成形方法および光学部品の成形装置を提供することを課題とする。
【課題を解決するための手段】
【０００７】
前記課題を解決するため、本発明は光学部品の成形方法であって、金型のキャビティ内に投入した粉体の原料を加熱して溶融する加熱段階と、溶融させた原料をキャビティ内で圧縮して変形させることにより、所定形状の光学部品を製造する圧縮段階とを含むことを特徴としている。
【０００８】
ここで、本発明の光学部品の成形方法を実施したところ、成形後の光学部品の内部に気泡が残存することなく、高品質な光学部品を製造することができた。したがって、本発明の光学部品の成形方法によって光学部品を製造可能なことが判明した。
そして、本発明の光学部品の成形方法では、粉体の原料を用いて光学部品を製造しているため、原料を計量するときに微調整が容易となる。これにより、原料を高精度に計量することができるため、光学部品の成形に必要な量の原料を正確にキャビティ内に投入することができ、光学部品の厚みを高精度に成形することができる。
また、流動性が高い粉体の原料を用いることにより、原料をキャビティ内に投入したときに、原料がキャビティの内面に沿って堆積されることになる。これにより、圧縮時に原料の変形量が少なくなり、原料がキャビティの内面に沿ってスムーズに変形するため、光学面を高精度に成形することができるとともに、光学部品の内部に歪みが生じて、光を通過させたときに複屈折が生じてしまうことを防ぐことができる。
【０００９】
前記した光学部品の成形方法において、原料は、４ｍｍの目開きの篩を通過する粉体であることが望ましい。
【００１０】
ここで、粉体の粒度が小さい程、粉体を計量したときの計量誤差が小さくなるため、原料を４ｍｍの目開きの篩を通過する粉体にすることにより、原料の計量誤差を小さくすることができ、光学部品の成形精度を向上させることができる。
また、２ｍｍの目開きの篩を通過し、０．０３７ｍｍの目開きの篩は通過しない粉体であることが更に望ましく、１ｍｍの目開きの篩を通過し、０．０５３ｍｍの目開きの篩を通過しない粉体であることが一層望ましい。
なお、粉体の粒度を非常に小さくすると、粉塵として飛散したり、周囲の装置に付着し易くなるため、過度に粉体を細かくすることは望ましくない。
【００１１】
前記した光学部品の成形方法において、原料を熱可塑性プラスチック材料によって構成することができる。また、原料をガラス材料によって構成することもできる。
【００１２】
これにより、熱可塑性プラスチック材料やガラス材料を原料として、高精度に成形された光学部品を製造することができる。
【００１３】
前記した光学部品の成形方法において、圧縮段階では、キャビティ内を減圧した状態で原料を圧縮することが望ましい。
【００１４】
このように、原料の圧縮時にキャビティ内を減圧することにより、原料に含まれている気泡が減圧状態のキャビティ内に排出され易くなるため、光学部品の内部に気泡が残存してしまうことを防ぐことができる。
【００１５】
前記した光学部品の成形方法に関連する発明であり、粉体の原料が投入されるキャビティを有しており、キャビティ内に投入された原料を加熱して溶融するとともに、溶融させた原料をキャビティ内で圧縮して変形させることにより、所定形状の光学部品を製造するように構成された金型を備えている光学部品の成形装置であって、粉体の原料を計量するための計量装置と、この計量装置を用いて所定量に計量された原料をキャビティ内に投入する供給装置と、キャビティ内の原料を加熱する加熱装置と、キャビティ内から光学部品を取り出す取り出し装置とを備えているように構成することができる。
【００１６】
このように、原料を圧縮成形する金型と、原料を計量するための計量装置と、原料をキャビティ内に投入する供給装置と、原料を加熱する加熱装置と、キャビティ内から光学部品を取り出す取り出し装置とを備えている成形装置を用いて、粉体の原料から光学部品を製造することにより、高精度に成形された光学部品の製造効率を向上させることができる。
なお、粉体が静電気を帯び易い場合には、前記した光学部品の成形装置に除電装置を設けることが望ましい。この除電装置としては、イオン風、コロナ放電、電磁波照射等の既存の装置を用いることができる。
【発明の効果】
【００１７】
このような光学部品の成形方法および光学部品の成形装置では、粉体の原料を用いることにより、原料を高精度に計量することができ、成形に必要な量の原料を正確にキャビティ内に投入することができるため、光学部品の厚みを高精度に成形することができる。
また、粉体の原料がキャビティの内面に沿って堆積されることにより、圧縮時に変形量が少なくなり、原料がキャビティの内面に沿ってスムーズに変形するため、光学面を高精度に成形することができるとともに、光学部品の内部に歪みが生じて、光を通過させたときに複屈折が生じてしまうことを防ぐことができる。
したがって、高精度な成形が求められる光学部品を圧縮成形によって製造するときに、原料でプリフォームを製造する必要がなくなるため、光学部品の製造工程を簡素化することができるとともに、光学部品の製造コストを低減することができる。
【発明を実施するための最良の形態】
【００１８】
次に、本発明の実施形態について、適宜図面を参照しながら詳細に説明する。
図１は、本実施形態の成形装置を示した全体構成図である。図２は、本実施形態の金型を示した図で、（ａ）は各主型を離間させた状態の側断面図、（ｂ）は各主型を組み合せた状態の側断面図である。図３は、本実施形態の成形方法に用いられる金型を示した図で、（ａ）は上方主型の平面図、（ｂ）は下方主型の平面図である。図４は、本実施形態のプラスチック材料の成形方法に用いられる金型を示した図で、各主型の間に集光装置を配置した状態の側断面図である。
本実施形態では、熱可塑性プラスチック材料の原料を圧縮成形して、光学部品であるプラスチックレンズを製造する場合を例として説明する。
【００１９】
［成形装置の構成］
成形装置１は、図１に示すように、粉体の原料が投入されるキャビティ３０を有する金型２と、粉体の原料を計量する計量装置３と、原料をキャビティ３０内に投入する供給装置４と、キャビティ３０内の原料を加熱する加熱装置５と、キャビティ３０内からプラスチックレンズを取り出す取り出し装置６とを備えている。
【００２０】
（金型の構成）
金型２は、図２に示すように、上下に配置された上方主型１０と下方主型２０とを組み合せることにより、上方主型１０と下方主型２０との間に形成される空間であるキャビティ３０内に投入された原料を圧縮成形するように構成されている。
【００２１】
上方主型１０は、図２（ａ）および図３（ａ）に示すように、鋼製の直方体であり、その下面の中央部には、平断面が円形の凹部１１が設けられている。
上方主型１０の凹部１１には、鋼製の円柱部材である上方入子１２の上端部が嵌め込まれており、上方主型１０の下面から上方入子１２が下方に向けて突出した状態となっている。
この上方入子１２の下端面１３は、プラスチックレンズの光学面を成形するための成形部であり、凹状の光学面の曲率に対応させた凸状の球面等の湾曲面となっている。
【００２２】
下方主型２０は、図２（ａ）および図３（ｂ）に示すように、鋼製の直方体であり、その上面の中央部には、平断面が円形の導入穴２１が設けられている。導入穴２１は、上方主型１０の上方入子１２よりも僅かに大きな直径となっており、上方入子１２を挿入することができるように構成されている。
【００２３】
導入穴２１は、上下方向の略中央部で縮径されることにより段差部２１ａが形成されており、この段差部２１ａよりも下方の下端部２２には、鋼製の円柱部材である下方入子２３が嵌め込まれており、下方入子２３の下面が導入穴２１の底面に当接した状態となっている。
この下方入子２３の上端面２４は、プラスチックレンズの光学面を成形するための成形部であり、凸状の光学面の曲率に対応させた凹状の球面等の湾曲面となっている。
また、導入穴２１の深さは、上方入子１２の突出長さよりも深く形成されており、導入穴２１に上方入子１２を挿入した際に、上方入子１２の下端面１３と下方入子２３の上端面２４との間に隙間が形成されるように設定されている（図２（ｂ）参照）。
【００２４】
また、導入穴２１の下端部２２の周囲には、３本のイジェクタピン２５・・・が均等間隔に配置されている。このイジェクタピン２５は、上下方向に移動可能となっており、成形時にはイジェクタピン２５の上端面が段差部２１ａの上面と同一な高さになる位置に配置され、成形後にプラスチックレンズを取り出すときには、イジェクタピン２５の上端面が下方主型２０の上面と同一な高さになる位置まで上昇することにより、プラスチックレンズを押し上げるように構成されている。
【００２５】
キャビティ３０は、図２（ｂ）に示すように、成形対象の原料を圧縮成形するための空間であり、上方主型１０の上方入子１２を下方主型２０の導入穴２１に挿入して、上方主型１０と下方主型２０とを組み合せたときに、上方入子１２の下端面１３と下方入子２３の上端面２４との間に形成される隙間である。すなわち、キャビティ３０の内部上面は、上方入子１２の下端面１３によって構成され、キャビティ３０の内部下面は、下方入子２３の上端面２４によって構成されている。
【００２６】
（計量装置の構成）
計量装置３は、図１に示すように、粉体の原料を計量するための秤であり、本実施形態では、既存の電子式ロードセル方式の秤を用いているが、その構成は限定されるものではない。
【００２７】
（供給装置の構成）
供給装置４は、図１に示すように、計量装置３を用いて所定量に計量された粉体の原料を金型２のキャビティ３０内に投入する搬送手段であり、既存の振動式コンベヤやスクリュ式コンベヤを用いることができ、その構成は限定されるものではない。
【００２８】
（加熱装置の構成）
加熱装置５は、図４に示すように、遠赤外線であるレーザを発振する既存の炭酸ガスレーザ装置（図示せず）を光源としており、この光源から発振された遠赤外線であるレーザを中空ファイバ５ａによって照射部５ｂに伝送し、この照射部５ｂからレーザＬを下方に向けて照射するように構成されている。
そして、上方主型１０と下方主型２０とを離間させた状態で、各主型１０，２０の間に照射部５ｂを挿入することにより、レーザＬを下方主型２０の下方入子２３の上端面２４に照射することができるように構成されている。
【００２９】
（取り出し装置の構成）
取り出し装置６は、図１に示すように、キャビティ３０内からプラスチックレンズを取り出す装置であり、本実施形態では、図２（ａ）に示すように、プラスチックレンズの成形後に、下方主型２０に設けられた各イジェクタピン２５・・・が上昇することにより、下方金型２０の導入穴２１から突出する位置まで押し上げられたプラスチックレンズを払って金型２の外に取り出すように構成されている。このようにして取り出されたプラスチックレンズは、搬送ロボット等によって次工程に搬送することができる。なお、取り出し装置の構成は、前記した本実施形態の構成に限定されるものではない。
【００３０】
［光学部品の成形方法］
次に、本実施形態の成形装置を用いた光学部品の形成方法について説明する。
図５は、本実施形態の成形方法を示した図で、（ａ）は粉体の原料を下方主型に投入した状態の側断面図、（ｂ）は原料にレーザを照射している態様の側断面図である。図６は、本実施形態の成形方法を示した図で、（ａ）は上方主型を下方主型に向けて下降させた態様の側断面図、（ｂ）は上方主型と下方主型とを組み合せた状態の側断面図である。
【００３１】
本実施形態の原料は、４ｍｍの目開きである５メッシュ（ＡＳＴＭ規格）の篩を通過する粉体に砕かれた熱可塑性プラスチック材料であり、加熱装置５（図４参照）からレーザＬが照射されたときに、遠赤外線を吸収して発熱することにより溶融するものである。
この原料は、熱可塑性プラスチックを既存の乾式や湿式の粉砕装置によって粉砕したものである。なお、原料を液体窒素によって冷却した状態で粉砕した場合には、細かい粉体を容易に作成することができる。
また、プラスチックレンズの原料としては、透明度が高い材料を用いることが好ましく、例えば、ポリカーボネート、ポリエステル、環状ポリオレフィン、アクリル、脂環式アクリル樹脂、オレフィン・マレイミド交互共重合体等の材料を用いることができる。
【００３２】
次に、前記した粉体の原料からプラスチックレンズを製造する手順について、具体的に説明する。
（計量段階）
まず、図１に示すように、粉体の原料を貯留している貯留槽７から、粉体の原料を適量取り出し、計量装置３を用いてプラスチックレンズの成形に必要な量の原料を計量する。このとき、原料は粉体であるため、原料の量を容易に微調整することができ、原料を高精度に計量することができる。なお、計量された原料は、プラスチックレンズの成形に必要な所定量に対して±５％以内の誤差となる量にする。なお、この誤差は±２％以内であることが好ましく、更に好ましくは±１％以内である。
【００３３】
（投入段階）
続いて、図２（ａ）に示すように、上方主型１０と下方主型２０とを上下に離間させ、供給装置４（図１参照）の排出口４ａを下方主型２０の導入穴２１の上方に配置する。
そして、所定量に計量された粉体の原料４０を供給装置４の投入口４ｂに投入して排出口４ｂまで搬送し、図５（ａ）に示すように、供給装置４（図１参照）の排出口４ａから粉体の原料４０を下方主型２０の導入穴２１内に投入する。これにより、粉体の原料４０が下方入子２３の上端面２４に堆積することになる。
このとき、粉体の原料４０は流動性が高いため、粉体の原料４０が下方入子２３の上端面２４に沿って堆積されることになる。
【００３４】
なお、粉体の原料４０を下方主型２０の導入穴２１内に投入するときに、静電気によって粉体の原料４０が金型２の外面などに付着してしまうことを防ぐため、原料４０を下方主型２０の導入穴２１内に投入する前に、原料４０や金型２を除電する除電装置を設けてもよい。この除電装置としては、イオン風、コロナ放電、電磁波照射等の既存の装置を用いることができる。
さらに、粉体の原料４０を下方主型２０の導入穴２１内に投入した後に、下方主型２０に振動を与えた場合には、原料４０が下方入子２３の上端面２４に偏って堆積されることなく、均等に分散されて堆積することになる。下方主型２０に振動を与える構成は限定されるものではなく、既存のバイブレータ機構を用いることができる。
【００３５】
（加熱段階）
その後、図５（ｂ）に示すように、下方主型２０の上方に加熱装置５の照射部５ｂを挿入し、レーザＬを照射部５ｂから導入穴２１内の原料４０に照射する。これにより、粉体の原料４０が遠赤外線を吸収して発熱し、原料４０が加熱された状態となる。このとき、遠赤外線であるレーザＬの照射によって下方主型２０は加熱されることなく、原料４０のみが加熱された状態となる。
【００３６】
（圧縮段階）
そして、図６（ａ）に示すように、粉体の原料４０をガラス転移温度以上に加熱して溶融させ、下方主型２０の上方から照射部５ｂを退避させた後に、上方主型１０を下方主型２０に対して下降させ、上方主型１０の上方入子１２を下方主型２０の導入穴２１に挿入することにより、上方主型１０と下方主型２０とを組み合せる。
これにより、図６（ｂ）に示すように、原料４０は、上方入子１２の下端面１３と下方入子２３の上端面２４との間に形成されたキャビティ３０内に投入された状態となり、原料４０が上方入子１２によって加圧されることにより、溶融された原料４０が変形してキャビティ３０内で飽和状態となる。
【００３７】
ここで、上方入子１２の下端面１３は、凹状の光学面の形状に対応しており、下方入子２３の上端面２４は、凸状の光学面の形状に対応している。そのため、キャビティ３０内で飽和状態となった原料４０は、上方入子１２の下端面１３から下方入子２３の上端面２４までの高さに対応する厚みで、凹凸両側の光学面が形成されたプラスチックレンズの形状を成すことになる。
【００３８】
このとき、プラスチックレンズは、その内部に気泡が残存することなく成形される。
また、キャビティ３０内に投入された粉体の原料４０は、高精度に計量されており、成形に必要な量の原料４０が正確にキャビティ３０内に投入されているため、プラスチックレンズの厚みが高精度に成形されることになる。
さらに、流動性が高い粉体の原料４０は、下方入子２３の上端面２４の内面に沿って堆積されており、圧縮時に原料４０の変形量が少なくなり、原料４０がキャビティ３０の内面に沿ってスムーズに変形するため、光学面を高精度に成形することができるとともに、プラスチックレンズの内部に歪みが生じて、光を通過させたときに複屈折が生じてしまうことを防ぐことができる。
【００３９】
（取り出し段階）
圧縮成形後は、プラスチックレンズを金型２から取り出すときの変形を防ぐために、プラスチックレンズをキャビティ３０内でガラス転移温度以下まで冷却して硬化させる。なお、原料４０をレーザＬ（図４（ｂ）参照）によって加熱したときには、原料４０のみが加熱されており、金型２は加熱されていないため、金型２を冷却するための時間を除くことができ、プラスチックレンズを短時間で冷却することができる。
【００４０】
そして、プラスチックレンズをキャビティ３０内で冷却した後に、上方主型１０と下方主型２０を離間させ、下方主型２０に設けられた各イジェクタピン２５・・・を上昇させて、プラスチックレンズを下方金型２０の導入穴２１から突出する位置まで押し上げた後に、取り出し装置６（図１参照）によってプラスチックレンズを払って金型２の外に取り出す。このプラスチックレンズを搬送ロボット等によって次工程に搬送し、プラスチックレンズの円周部を加工して完成させる。
このように、金型２、計量装置３、供給装置４、加熱装置５および取り出し装置６を備えている成形装置１を用いて、粉体の原料４０からプラスチックレンズを製造することにより、高精度に成形されたプラスチックレンズの製造効率を向上させることができる。
【００４１】
このように、本発明では、高精度な成形が求められるプラスチックレンズを圧縮成形によって製造するときに、原料４０でプリフォームを製造する必要がなくなるため、プラスチックレンズの製造工程を簡素化することができるとともに、プラスチックレンズの製造コストを低減することができる。
【００４２】
以上、本発明の実施形態について説明したが、本発明は前記実施形態には限定されない。本実施形態では、４ｍｍの目開きである５メッシュの篩を通過する粉体の原料を用いているおり、粉体の粒度が小さい程、計量誤差は小さくなるが、粉体が粒度が非常に小さくなると、粉塵として飛散したり、周囲の装置に付着し易くなるため、過度に粉体を細かくすることは望ましくない。そこで、例えば、２ｍｍの目開きである１０メッシュの篩を通過し、０．０３７ｍｍの目開きである４００メッシュの篩は通過しない粉体であることが望ましく、さらには、１ｍｍの目開きの篩を通過し、０．０５３ｍｍの目開きの篩を通過しない粉体であることが一層望ましい。このように、粉体の粒度を適宜に設定して、プラスチックレンズの成形精度を向上させることが望ましい。
【００４３】
また、本実施形態では、熱可塑性プラスチック材料からなる原料を用いているが、ガラス材料を用いてもよく、その材質は限定されるものではない。
さらに、熱硬化性プラスチック材料を用いてもよく、この場合には、加熱溶融した原料を圧縮して所定形状に変形させた後に、原料を再度加熱して硬化させる必要がある。
【００４４】
また、原料を加熱溶融したときに、原料に含まれる水分等の影響によって、溶融後の原料に気泡が含まれてしまう場合がある。そこで、キャビティ内を減圧した状態で原料を圧縮することにより、原料に含まれている気泡が減圧状態のキャビティ内に排出され易くなるため、プラスチックレンズの内部に気泡が残存してしまうことを防ぐことができる。
なお、キャビティ内を減圧する構成としては、キャビティ内に連通する吸引通路を金型に設け、この吸引通路を通じてキャビティ内の空気を吸い出して減圧させる構成や、金型全体を減圧室内に設置する構成などがある。
【００４５】
さらに、原料の含水量が少ない程、加熱溶融後の原料に気泡が生じ難くなるため、原料の含水量としては、例えば、１０００ｐｐｍ以下であることが望ましい。
【００４６】
また、本実施形態では、図５（ｂ）に示すように、炭酸ガスレーザ装置を光源とする加熱装置５を用いているが、その光源は限定されるものではなく、半導体レーザ装置やＹＡＧ（イットリウム・アルミニウム・ガーネット）レーザ装置等を光源として、近赤外線や中赤外線であるレーザを照射してもよく、さらには、ハロゲンランプやカーボンヒータから照射された赤外線を反射型レンズにより集光して照射してもよい。
なお、透明材料は近赤外線や中赤外線を吸収することができないが、透明材料に赤外線吸収材料を添加することによって、透明材料からなる原料に近赤外線や中赤外線であるレーザを照射して加熱することができるようになる。赤外線吸収材料としては、既存の顔料や染料等の赤外線を吸収する材料を用いることができる。
【００４７】
また、本実施形態の加熱装置５のように、赤外線を用いて原料４０を加熱することなく、下方主型２０内にヒータを設け、下方主型２０自体を加熱することによって原料４０を加熱してもよい。この場合には、下方主型２０に温度制御装置を取り付けて、原料４０を効率良く加熱溶融することが望ましい。
【００４８】
また、本実施形態では、図２（ａ）に示すように、下方主型２０からプラスチックレンズを取り出すときに、下方主型２０に設けられた各イジェクタピン２５・・・を上昇させて、プラスチックレンズを下方金型２０の導入穴２１から突出する位置まで押し上げているが、下方入子２３を上昇させることにより、プラスチックレンズを押し上げるように構成してもよい。この構成では、プラスチックレンズの円周部に、各イジェクタピン２５・・・を押し当てるためのフランジ部を形成する必要がなくなり、圧縮成形後のプラスチックレンズの加工が容易となる。
【００４９】
また、本実施形態では、一台の金型２を用いてプラスチックレンズを製造しているが、金型２を複数設けることにより、同時に複数個のプラスチックレンズを製造するように構成してもよい。
【図面の簡単な説明】
【００５０】
【図１】本実施形態の成形装置を示した全体構成図である。
【図２】本実施形態の金型を示した図で、（ａ）は各主型を離間させた状態の側断面図、（ｂ）は各主型を組み合せた状態の側断面図である。
【図３】本実施形態の成形方法に用いられる金型を示した図で、（ａ）は上方主型の平面図、（ｂ）は下方主型の平面図である。
【図４】本実施形態のプラスチック材料の成形方法に用いられる金型を示した図で、各主型の間に集光装置を配置した状態の側断面図である。
【図５】本実施形態の成形方法を示した図で、（ａ）は粉体の原料を下方主型に投入した状態の側断面図、（ｂ）は原料にレーザを照射している態様の側断面図である。
【図６】本実施形態の成形方法を示した図で、（ａ）は上方主型を下方主型に向けて下降させた態様の側断面図、（ｂ）は上方主型と下方主型とを組み合せた状態の側断面図である。
【符号の説明】
【００５１】
１      成形装置
２      金型
３      計量装置
４      供給装置
５      加熱装置
６      取り出し装置
１０    上方主型
２０    下方主型
３０    キャビティ
４０    原料
Ｌ      レーザ
【図１】
2006347125.tif 000003
【図２】
2006347125.tif 000004
【図３】
2006347125.tif 000005
【図４】
2006347125.tif 000006
【図５】
2006347125.tif 000007
【図６】
2006347125.tif 000008